(57)【要約】【課題】  曲の再生状況に応じた、ユーザの好みに合致する曲を自動的に選択することのできる再生装置を提供すること。【解決手段】  記録媒体に記録された複数の曲を選択して再生する再生装置であって、演算処理手段、記録手段、及び操作手段を含んで構成され、演算処理手段が、曲が最後まで再生された場合と、曲の再生が途中で中断された場合とを判断し、判断結果に基づく情報を記録手段に記録させていくとともに、操作手段により選曲操作されると、記録手段に記録された判断結果に基づく情報を考慮して選曲する処理を行う。【選択図】  図１   
2005122890.tif 000002
【特許請求の範囲】
【請求項１】
記録媒体に記録された複数の曲を選択して再生する再生装置であって、
演算処理手段、記録手段、及び操作手段を含んで構成され、
前記演算処理手段が、
曲が最後まで再生された場合と、曲の再生が途中で中断された場合とを判断し、
該判断結果に基づく情報を前記記録手段に記録させていくとともに、
前記操作手段により選曲操作されると、前記記録手段に記録された前記判断結果に基づ
く情報を考慮して選曲するものであることを特徴とする再生装置。
【請求項２】
記録媒体に記録された複数の曲を選択して再生する再生装置であって、
演算処理手段、記録手段、及び操作手段を含んで構成され、
前記演算処理手段が、
曲が最後まで再生された場合と、曲の再生が途中で中断された場合とを判断し、
該判断結果に基づいて曲に重要度を付与して前記記録手段に記録させていくとともに、
前記操作手段により選曲操作されると、前記記録手段に記録された重要度を考慮して選
曲するものであることを特徴とする再生装置。
【請求項３】
記録媒体に記録された複数の曲を選択して再生する再生装置であって、
演算処理手段、記録手段、及び選曲のためのキーワードを入力可能な入力手段を含んで
構成され、
前記演算処理手段が、
曲が最後まで再生された場合と、曲の再生が途中で中断された場合とを判断し、
該判断結果に基づいて曲に重要度とキーワードとを付与して前記記録手段に記録させて
いくとともに、
前記記録手段に記録された重要度と、前記入力手段を介して入力されたキーワードとに
基づいて選曲するものであることを特徴とする再生装置。
【請求項４】
記録媒体に記録された複数の曲を選択して再生する再生装置であって、
演算処理手段を含んで構成され、                                                
前記演算処理手段が、                                                          
曲の再生回数に応じて当該曲の重要度を高める一方、曲の再生が途中で中断された場合
は当該曲の重要度が高くならないように更新される重要度を考慮して選曲するものである
ことを特徴とする再生装置。
【請求項５】
前記演算処理手段が、曲の再生中に他の曲への切換指示を検出した場合、前記曲の再生
が途中で中断されたと判断するものであることを特徴とする請求項１〜４のいずれかの項
に記載の再生装置。
【発明の詳細な説明】
【技術分野】
【０００１】
本発明は、再生装置に関し、より詳細にはコンパクトディスクなどの記録媒体に記録さ
れている曲を再生する再生装置に関する。
【背景技術】
【０００２】
自動車には各種の音響機器が設置されており、音楽を聴きながら運転することが一般的
になっている。音楽の記録媒体としては、コンパクトディスク（以下「ＣＤ」と記す）や
ミニディスク（以下「ＭＤ」と記す）が普及しており、これらの再生装置も自動車に搭載
されている。自動車に搭載されるＣＤ再生装置には、ＣＤ交換の煩わしさを低減するため
に、十数枚のＣＤを同時にセットし、再生対象のＣＤを自動的に交換可能なオートチェン
ジャ機能を有する再生装置もある。
【０００３】
また、自動車には、ＣＤ−ＲＯＭやディジタルビデオディスク（以下「ＤＶＤ」と記す
）に記録された地図データと、ＧＰＳ（Global Positioning System ）信号を使用して計
算した自動車の現在位置とを、小型の液晶パネルに表示して、運転者に目的地までの経路
を案内するカーナビゲーション装置も搭載されるようになってきている。
【０００４】
更に、コンピュータ用の記録装置であるハードディスクドライブを搭載したカーナビゲ
ーション装置も使用されている。このカーナビゲーション装置は、ＣＤの再生手段をも備
えており、音楽の再生を開始すると、自動的に再生中の曲を所定のディジタルデータ圧縮
技術によって圧縮してハードディスクに記録し、音楽ライブラリを作成することができる
。このとき、予めハードディスクに記録されている市販のＣＤに関する情報（アルバム名
、アーチスト名、曲名など）から、ハードディスクに記録する曲に該当する情報を取得し
、音響データと対応させてハードディスクに記録する。更に、ハードディスクに情報が記
録されていない曲に関しては、携帯電話を使用して、インターネットに接続されている所
定のサーバーのデータベースにアクセスし、必要な情報を取得するようになっている。
【０００５】
これらの付加情報は、ユーザがハードディスクに記録した複数の音楽から所望の曲を選
択する場合に使用される。例えば、アーチスト別、ジャンル別などに分類されて小型の液
晶パネルに表示され、ユーザの選曲を容易にしている。
【０００６】
一方、下記の特許文献１〜３などにおいて、予め曲毎に所定の付加情報を決定し、それ
らを対応させてＣＤなどの記録媒体に記録しておき、再生する曲を選択する場合に、キー
ワードを指定して付加情報を検索することによって、曲を決定する技術が開示されている
。付加情報としては、曲の雰囲気を表す言葉、人名、地名、季節、イベント・行事、年代
などが挙げられている。ＣＤ、ＭＤ、ＤＶＤなどは、それぞれデータ記録形式が規格化さ
れており、制作者が自由に使用可能な領域が設けられており、その部分に付加情報を記録
することが可能である。例えば、ＣＤの場合には、時間情報などを記録するＴＯＣ（Tabl
e of Contents ）の一部の領域に付加情報を記録することが可能である。また、付加情報
を、音響データを記録した記録媒体に記録せずに、半導体メモリなどの別の記録装置に記
録することも可能である。
【０００７】
一般にＣＤには、音響データ以外の情報も記録されており、ＴＯＣ部分には、ＣＤを一
意に識別するための１３桁の番号からなるメディアカタログ番号（以下「ＭＣＮ」と記す
）、各曲のトラック番号、時間情報などが記録さている。ＣＤから読み出されたディジタ
ルデータの内、音響データはデコードされた後にアナログ信号に変換されて音声として再
生される。一方、ＴＯＣ情報のトラック番号などを文字に変換し、液晶パネルに表示する
ことも行なわれている。
【０００８】
ところで、音楽の曲に対してユーザが抱く印象は必ずしも同じでは無いことから、上記
したように、予め曲毎に固定的に付加された情報を使用する検索では、必ずしもユーザの
好みに合った曲が選択されない場合がある。
【０００９】
また、ユーザが聴きたい曲は常に同じではなく、聴くときの周囲の環境や、自動車の使
用目的によっても異なるが、ユーザの好みの曲が再生されている場合、再生中にその曲を
スキップさせたりする操作はあまり行われることなく、最後まで再生されることが多い。
したがって、このような曲の再生状況を、ユーザが曲を聴くことを希望する尺度として利
用できる可能性があるが、従来、このような曲の再生状況を利用して、曲を選択するよう
な機能を有するものはなかった。
【特許文献１】特開平１−２１７７８３号公報
【特許文献２】特開平６−１１０４７８号公報
【特許文献３】特開平９- １４６５７２号公報
【発明の開示】
【課題を解決するための手段及びその効果】
【００１０】
本発明は上記課題に鑑みなされたものであって、曲の再生状況に応じた、ユーザの好み
に合致する曲を自動的に選択することのできる再生装置を提供することを目的としている
。
【００１１】
上記目的を達成するために本発明に係る再生装置（１）は、記録媒体に記録された複数
の曲を選択して再生する再生装置であって、演算処理手段、記録手段、及び操作手段を含
んで構成され、前記演算処理手段が、曲が最後まで再生された場合と、曲の再生が途中で
中断された場合とを判断し、該判断結果に基づく情報を前記記録手段に記録させていくと
ともに、前記操作手段により選曲操作されると、前記記録手段に記録された前記判断結果
に基づく情報を考慮して選曲するものであることを特徴としている。
【００１２】
上記再生装置（１）によれば、曲が最後まで再生された場合と、曲の再生が中断された
場合との判断結果に基づく情報をユーザが曲を聴くことを希望する尺度として使用するこ
とができる。従って、前記判断結果に基づく情報が、曲を選択する場合に使用されること
によって、再生状況に応じたユーザの好みの曲を自動的に選択することができる。
【００１３】
また本発明に係る再生装置（２）は、上記再生装置（１）において、記録媒体に記録さ
れた複数の曲を選択して再生する再生装置であって、演算処理手段、記録手段、及び操作
手段を含んで構成され、前記演算処理手段が、曲が最後まで再生された場合と、曲の再生
が途中で中断された場合とを判断し、該判断結果に基づいて曲に重要度を付与して前記記
録手段に記録させていくとともに、前記操作手段により選曲操作されると、前記記録手段
に記録された重要度を考慮して選曲するものであることを特徴としている。
【００１４】
上記再生装置（２）によれば、曲が最後まで再生された場合と、曲の再生が中断された
場合との判断結果に基づいて曲に付与された重要度をユーザが曲を聴くことを希望する尺
度として使用することができる。従って、前記重要度が、曲を選択する場合に使用される
ことによって、再生状況に応じたユーザの好みの曲を自動的に選択することができる。
【００１５】
また本発明に係る再生装置（３）は、記録媒体に記録された複数の曲を選択して再生す
る再生装置であって、演算処理手段、記録手段、及び選曲のためのキーワードを入力可能
な入力手段を含んで構成され、前記演算処理手段が、曲が最後まで再生された場合と、曲
の再生が途中で中断された場合とを判断し、該判断結果に基づいて曲に重要度とキーワー
ドとを付与して前記記録手段に記録させていくとともに、前記記録手段に記録された重要
度と、前記入力手段を介して入力されたキーワードとに基づいて選曲するものであること
を特徴としている。
【００１６】
上記再生装置（３）によれば、曲が最後まで再生された場合と、曲の再生が中断された
場合との判断結果に基づいて曲に対して重要度とキーワードとを関係付けて記録させてい
くことができ、さらに、ユーザが再生中の曲をスキップさせた場合に重要度を低減させる
ことによって、重要度をユーザが曲を聴くことを希望する尺度として使用することができ
る。従って、前記重要度が、曲を選択する場合に使用されることによって、再生状況と前
記入力されたキーワードとに応じたユーザの好みの曲を自動的に選択することができる。
【００１７】
また本発明に係る再生装置（４）は、上記再生装置（１）〜（３）のいずれかにおいて
、記録媒体に記録された複数の曲を選択して再生する再生装置であって、演算処理手段を
含んで構成され、前記演算処理手段が、曲の再生回数に応じて当該曲の重要度を高める一
方、曲の再生が途中で中断された場合は当該曲の重要度が高くならないように更新される
重要度を考慮して選曲するものであることを特徴としている。
【００１８】
上記再生装置（４）によれば、同じ曲を再生する回数が多ければ多いほど前記重要度を
大きい値とし、ユーザの意思によってスキップされた場合には、その回数だけ前記重要度
を小さな値とすることにより、前記重要度を、ユーザが各々の曲を聴くことを希望する尺
度として使用することができる。従って、前記重要度が、曲を選択する場合に使用される
ことによって、再生状況に応じたユーザの好みの曲を自動的に選択することができる。
【００１９】
また本発明に係る再生装置（５）は、上記再生装置（１）〜（４）のいずれかにおいて
、前記演算処理手段が、曲の再生中に他の曲への切換指示を検出した場合、前記曲の再生
が途中で中断されたと判断するものであることを特徴としている。
【００２０】
上記再生装置（５）によれば、曲の再生中に他の曲への切換指示が検出された場合に、
前記曲の再生が途中で中断されたと判断することができ、前記重要度を曲の再生中におけ
る他の曲への切換指示に応じて変更することができる。                      
【発明を実施するための最良の形態】
【００２１】
以下、本発明に係る実施の形態を、添付した図面に基づいて説明する。
図１は、本発明の第１の実施の形態に係る音声再生装置を示すブロック図である。音声
再生装置１００は、中央演算処理部（以下「ＣＰＵ」と記す）１０１、メモリ１０２、記
録部１０３、操作部１０４、計時手段１０５、ＣＤドライブ１０６、ディジタル処理部１
０７、Ｄ／Ａ変換部１０８、アンプ１０９、バス１１０及びＡ／Ｄ変換部１１１を含んで
構成されている。Ａ／Ｄ変換部１１１は温度や湿度等を検出する検出部１４０に接続され
ており、アンプ１０９はスピーカー１２０に接続されている。バス１１０は複数の信号線
から構成されており、音声再生装置１００内部の各部間のデータ交換及びＣＰＵ１０１に
よる周辺各部の制御はバス１１０を介して行なわれる。音声再生装置１００の電源（図示
せず）がＯＦＦされた場合に、メモリ１０２に記録されたデータは消えるが、記録部１０
３に記録されたデータはそのまま残り、次回音声再生装置の電源がＯＮされた場合に使用
され得るようになっている。
【００２２】
音声再生装置１００は、従来のＣＤ再生装置と同様に、ＣＤドライブ１０６に音楽が記
録されたＣＤ１３０がセットされることによって音楽の再生を開始する。ＣＤに記録され
ている音楽の再生は、ＣＰＵ１０１が、ＣＤドライブ１０６及びディジタル処理部１０７
を制御することによって行なわれる。ＣＤドライブ１０６はＣＤ１３０を回転させ、光ピ
ックアップ（図示せず）によって、ディジタルの音響データをディジタル処理部１０７に
転送する。ディジタル処理部１０７は、コード化されているディジタルデータをデコード
して、所定ビット数のステレオ音響データを生成し、Ｄ／Ａ変換部１０８に伝送する。ス
テレオ音響データが、Ｄ／Ａ変換部１０８によってディジタル信号からアナログ信号に変
換され、アンプ１０９によって増幅された後、スピーカー１２０に伝送されることによっ
て、音響として再生される。
【００２３】
操作部１０４はユーザの操作を受け付けて、ＣＤ１３０の再生をコントロールする信号
をＣＰＵ１０１に伝送する。ＣＰＵ１０１は、操作部１０４からの信号を受信し、再生中
の曲を早送りする、元に戻す、スキップする、再生を停止するなどの制御を行なう。
【００２４】
音声再生装置１００の特徴は、ＣＰＵ１０１が、計時手段１０５、検出部１４０、操作
部１０４からの信号に応じて、所定のキーワードを自動的に決定し、この決定されたキー
ワードと再生中の曲を特定する情報とを対応させて、記録部１０３に検索用テーブルとし
て記録することである。また、再生する曲を決定する場合、計時手段１０５、検出部１４
０からの信号などに応じてキーワードを自動的に決定し、このキーワードを使用して記録
部１０３の検索用ケーブルを検索し、合致する曲を再生することが特徴である。
【００２５】
図２は、計時手段１０５からの信号を使用してキーワードを自動的に決定する処理にお
いて、ＣＰＵ１０１が行なう処理を示したフローチャートである。以下の説明において、
ＣＤ１３０がＣＤドライブ１０６にセットされており、ＣＤ１３０からＴＯＣ情報が読み
出されてメモリ１０２に記録されていると想定する。
【００２６】
ステップ２０１において、ＣＤ１３０の曲が再生中であるか否かを繰り返し判断し、再
生中と判断した場合、ステップ２０２に移行する。
ステップ２０２において、メモリ１０２に記録されているＴＯＣ情報に、現在再生中の
曲を特定する情報（以下「曲特定情報」と記す）があるか否かを判断する。再生中の曲に
対応する曲特定情報があると判断した場合には、その曲特定情報を取得してメモリ１０２
の所定の領域に記録し、無いと判断した場合には処理を終了する。曲特定情報には、例え
ば、ＭＣＮ及びトラック番号を使用することができる。ＭＣＮはＣＤ１３０を特定するこ
とができ、トラック番号はそのＣＤ１３０に記録されている曲の順番を表していることか
ら、ＭＣＮとトラック番号とを一組として使用することによって、ＣＤ１３０が交換され
た場合においても曲を特定することができる。
【００２７】
ステップ２０３において、計時手段１０５から現在の日時を取得して、メモリ１０２の
所定の領域に記録する。
ステップ２０４において、ステップ２０３において取得した現在日時から月日の情報を
取得し、その取得した月日に一致するキーワードを、図３の（ａ）に示す「候補テーブル
」から取得する。図３の（ａ）では指標として月日を使用し、キーワードとして年間行事
、祝日、記念日、季節などに関連する言葉を記録している。例えば、当日が７月７日であ
れば、「七夕」及び「夏」の２つのキーワードが決定される。
【００２８】
ステップ２０５において、ステップ２０４と同様に、ステップ２０３において取得した
現在日時から時刻の情報を取得し、その取得した時刻が含まれる時間帯に対応するキーワ
ードを、図３の（ｂ）に示す候補テーブルから取得する。図３の（ｂ）では、指標として
時間帯を使用している。
例えば、現在時刻が１２月２４日１９時５０分であれば、ステップ２０４の処理によっ
て、キーワード「クリスマスイブ」が決定され、ステップ２０５の処理によって、キーワ
ード「夕方」が決定される。
【００２９】
ステップ２０６において、ステップ２０２において取得した曲特定情報と、ステップ２
０４及び２０５の処理によって決定されたキーワードと、重要度とを対応させて記録部１
０３の「検索用テーブル」に記録する。検索用テーブルの一例を図４の（ａ）に示す。
【００３０】
図４の（ａ）では、曲特定情報である｛ＭＣＮ、トラック番号｝の組に対応させて、複
数の｛キーワード、重要度｝の組が記録されている。重要度には、例えば、整数値を使用
することができる。新規に記録する場合には、重要度として「１」を記録する。また、既
に同じ曲特定情報が記録されていれば、曲特定情報は記録せずに、キーワードと重要度（
＝１）のみを追加記録する。更に、同じ曲特定情報及び同じキーワードが記録されている
場合には、対応するキーワードの重要度を１だけ増加させる。
【００３１】
ステップ２０７において、次の曲の再生を開始したか否かを判断し、次の曲の再生を開
始したと判断した場合、ステップ２０２に移行した後、ステップ２０２〜２０６の処理を
繰り返す。同じ曲を再生中であると判断した場合、操作部１０４からの信号を受信したか
否かを判断する。操作部１０４からの信号が、曲のスキップ操作に対応する信号であると
判断した場合、ステップ２０９に移行する。
【００３２】
ステップ２０９において、ステップ２０６において記録したキーワードの重要度を１だ
け減少させる。
ステップ２１０において、終了する指示の有無を判断し、終了指示があるまでステップ
２０７に戻り、上記の処理を繰り返す。
【００３３】
以上の結果、再生された曲特定情報、キーワード及び重要度を対応させて記録した検索
用テーブルが生成されることとなる。検索用テーブルの重要度は、同じ曲を再生する回数
が多ければ多いほど大きい値となり、ユーザの意思によって再生をスキップされた場合に
は、その回数だけ小さな値となることから、後述するように、ユーザが各々の曲を聴くこ
とを希望する尺度として使用することができる。
【００３４】
図３の（ａ）に示す候補テーブルのキーワードのうち、３月１２日の「卒業」、４月５
日の「入学」、４月１７日の「結婚」、６月２０日の「誕生日」などは、ユーザが設定し
たデータであり、その他のデータは予め設定されたものである。例えば、ユーザが操作部
１０４のテンキーなどの操作ボタン（図示せず）を操作して任意の月日を指定して、任意
のキーワードを登録可能とすることができる。
【００３５】
図５は、自動車の走行速度に応じてキーワードを決定する処理において、図２と同様、
ＣＰＵ１０１が行なう処理を示したフローチャートである。
【００３６】
ステップ５０１において、初期設定として、走行速度を検出する時間間隔Δｔに所定値
をセットし、ループカウンタｎに０をセットし、Ｔ0 に現在時刻をセットする。
ステップ５０２において、現在時刻を計時手段１０５から取得し、Ｔ0 と比較してΔｔ
の時間が経過したか否かを判断し、経過したと判断した場合、ステップ５０３に移行する
。
【００３７】
ステップ５０３において、検出部１４０からの信号をＡ／Ｄ変換部１１１を介して受信
して走行速度を取得し、この取得した速度を変数Ｖ（ｎ）の値としてメモリ１０２に記録
し、同時にカウンタｎに１を加算する。
【００３８】
ステップ５０４において、メモリ１０２に記録されたＶ（ｎ）の時間変動を評価する。
後述するようにステップ５０２〜５１０の処理を繰り返すことによって、所定の時間範囲
における速度データＶ（ｎ）（ｎ＝１〜Ｎ、Ｎは記録する速度データの最大個数）がメモ
リ１０２に記録されることとなる。Ｖ（ｎ）の時間変動を評価するために、例えば、Ｖ（
ｎ）の最大値から最小値を減算した変動幅及びＶ（ｎ）の平均値を計算する。
【００３９】
ステップ５０５では、ステップ５０４において計算した変動幅が所定の範囲内であるか
否かを判断する。所定の範囲内であると判断した場合、ステップ５０６に移行し、所定の
範囲内でないと判断した場合、ステップ５０７に移行する。
【００４０】
ステップ５０６において、ステップ５０４において計算した平均値を使用して、候補テ
ーブルを参照し、対応するキーワードを決定する。図３の（ｃ）に候補テーブルの一例を
示す。図３の（ｃ）を使用した場合、平均時速が０〜５ｋｍである場合にはキーワード「
渋滞」、５〜２０ｋｍである場合には「遅い」、６０ｋｍ以上の場合にはキーワード「速
い」と設定し、それ以外の場合（０〜６０ｋｍ）にはキーワードは設定しない。更に、前
述のステップ２０６（図２）における処理と同様に、再生中の曲特定情報と、決定したキ
ーワードと、重要度とを対応させて記録部１０３の検索用テーブルに記録する。検索用テ
ーブルに、既に同じ曲特定情報、同じキーワードが記録されていた場合の処理もステップ
２０６（図２）と同様である。
【００４１】
ステップ５０７において、計時手段１０５から現在時刻を取得してＴ0 にセットする。
ステップ５０８において、カウンタｎが検出した速度を記録する個数Ｎを超えているか否
かを判断し、超えていると判断した場合にはステップ５０９においてカウンタｎに初期値
の０をセットする。
【００４２】
ステップ５１０において、終了する指示の有無を判断し、終了指示があるまでステップ
５０２に戻り、以上の処理を繰り返す。以上の処理の結果、図４の（ａ）と同様の検索用
テーブルが生成される。また、ステップ２０８、２０９（図２）と同様に、操作部によっ
て再生中の曲が影響を受けた場合に重要度を変更する処理を追加することも可能である。
【００４３】
また、天候などの環境に応じて、曲に付すキーワードを決定することも可能である。例
えば、検出部１４０に温度センサー及び湿度センサーを使用し、これらのセンサーを自動
車内部に設置し、これらセンサーからの信号を、所定の時間間隔でＡ／Ｄ変換部１１１を
介してディジタルデータとして取得する。取得したデータを用いて、不快指数ＤＩ（％）
を、例えば式１によって計算し、その結果を用いて予め準備された候補テーブルを参照し
、該当するキーワードを決定することができる。
ＤＩ＝0.81Ｔ＋0.01Ｕ（0.99Ｔ−14.3）＋46.3    ・・・・（式１）
ここで、Ｔは気温（℃）、Ｕは湿度（％）である。
【００４４】
図３の（ｄ）は、不快指数とキーワードとを対応させた候補テーブルの一例である。指
標として、気温、湿度の数値の組合わせを使用することも可能である。
【００４５】
更に、温度センサー及び湿度センサーに気圧センサーを追加し、これら３種類のセンサ
ーの組合せに対して予め準備された候補テーブルを参照し、該当するキーワードを決定す
ることも可能である。
【００４６】
また、乗車人数をキーワードとして、曲に付加することも可能である。その場合には、
検出部１４０に重量センサーを使用し、座席の中に埋め込み、重量センサーによって検知
した乗車人数を、再生中の曲特定情報と対応させて検索用テーブル用に記録する。例えば
、運転者が一人で乗車している場合に好んで聴く曲、同乗者がいる場合に好んで聴く曲な
どの情報を、検索用テーブルに反映することができる。同じ曲が、乗車人数が異なる場合
に再生されることもあることから、乗車人数は複数登録され得る。
【００４７】
また、ユーザが操作部１０４から各曲に対するキーワードを直接入力または候補から選
択できるようにすることも可能である。例えば、ＣＤから読み込まれて記録部１０３に記
録されたＴＯＣ情報から曲特定情報を取得し、表示部（図示せず）に文字としてリスト表
示し、ユーザがキーワードを付すことを希望する曲を指定した後、キーワードを文字とし
て入力する、音声で入力する、または表示部に提示されたキーワード候補リストの中から
選択することができるようにすることが可能である。
【００４８】
また、眠気を催しているなど運転者の状態に応じて、曲に付すキーワードを決定するこ
とも可能である。例えば、検出部１４０にＣＣＤカメラを使用し、運転者の顔を撮影して
、Ａ／Ｄ変換器１１１を介してディジタル画像データと取得して、所定の時間間隔でメモ
リ１０２に記録する。記録した画像データに対して画像処理を施して運転者の目を検出し
、目の開閉の程度、開閉の時間変化パターンなどを分析することによって、運転者が眠気
を催しているか否かを判断する。眠気を催していると判断した場合には、運転者は再生中
の曲によって眠気を催したか、または再生中の曲には運転者を眠気を催した状態から覚醒
させる効果がないと考えられることから、再生中の曲特定情報とキーワード「眠気」とを
対応させて記録部１０３の検索用テーブルに記録する。
【００４９】
また、上記した複数のキーワード決定処理を組み合わせて、検索用テーブルを生成する
ことも可能である。図４の（ｂ）は、現在月日、現在時刻、走行速度、周囲環境、運転者
の覚醒状態、乗車人数を使用して生成された検索用テーブルの一例である。
【００５０】
以上において、１つの検索用テーブルを記録部１０３に記録する場合を説明したが、複
数の検索用テーブルに分けて記録することも可能である。即ち、識別情報を付加した複数
の検索用テーブルの中から、キーワードを記録する検索用テーブルを指定した後に、ＣＤ
１３０を再生するようにすることが可能である。その場合、上記した処理によって決定さ
れたキーワードと曲特定情報を、その指定された検索用テーブルにのみ記録する。
【００５１】
また、取り外し可能な半導体メモリ等の記録装置（図示せず）を採用し、その記録装置
に検索用テーブルを記録することも可能である。
【００５２】
図６は、本発明の第２の実施の形態に係る情報提供装置の概略を示すブロック図である
。
情報提供装置６００は、ＣＰＵ１０１、メモリ１０２、記録部１０３、操作部１０４、
計時手段１０５、ＣＤドライブ１０６、ディジタル処理部１０７、Ｄ／Ａ変換部１０８、
アンプ１０９、バス１１０、スピーカー１２０、ＣＤ１３０、ＣＤ−ＲＯＭドライブ６０
１、ビデオメモリ（以下「ＶＲＡＭ」と記す）６０２、ビデオ信号生成部６０３、ＧＰＳ
信号受信部６０４、ＣＤ−ＲＯＭ６１０を含んで構成されている。ＧＰＳ信号受信部６０
４はＧＰＳアンテナ６２０に接続されており、ビデオ信号生成部６０３は表示部６３０に
接続されている。
【００５３】
情報提供装置６００は、図１に示す音声再生装置１００におけるＡ／Ｄ変換部１１１の
代わりに、カーナビゲーション機能を実現するための手段を備えている。図６において、
図１と同じ構成要素には同じ番号を付しており、これらの構成要素が音声再生装置１００
と同様の機能を果すことによって、ＣＤに記録されている音声が再生される。
【００５４】
地図情報及び関連情報が記録されたＣＤ−ＲＯＭ６１０がＣＤ−ＲＯＭドライブ６０１
にセットされることによって、ＣＰＵ１０１が地図情報及び関連情報情報を読み出して表
示部６３０に表示する。ＣＤ−ＲＯＭ６１０に記録されている地図データの読み出しは、
ＣＰＵ１０１が、ＣＤ−ＲＯＭドライブ６０１を制御することによって行なわれる。ＣＤ
−ＲＯＭドライブ６０１はＣＤ−ＲＯＭ６１０を回転させ、光ピックアップ（図示せず）
によって、ディジタルの地図データをメモリ１０２に転送する。次に、メモリ１０２に記
録された地図データから２次元の地図画像データを生成し、ＶＲＡＭ６０２に記録する。
ビデオ信号生成部６０３が、ＶＲＡＭ６０２から地図画像データの各画素データを読み出
してアナログビデオ信号に変換し、表示部６３０に伝送することによって、地図及び関連
情報が表示される。
【００５５】
また、ＣＰＵ１０１は、所定の時間間隔で、ＧＰＳアンテナ６２０及びＧＰＳ信号受信
部６０４を介して、複数の人工衛星から送信される発信時刻を含んだＧＰＳ信号を受信し
、内部の計時手段１０５との時間差から各々の人工衛星との距離を計算する。この計算さ
れた距離と、人工衛星の軌道計算から得られた人工衛星の位置情報とを用いて現在の自動
車の位置座標を計算し、ＶＲＡＭ６０２上の地図画像データの対応する位置に、現在位置
を表す所定の図形データを書き込むことによって、表示部６３０に現在位置を表す図形を
重畳した地図が表示される。
【００５６】
情報提供装置６００は、通常のカーナビゲーション装置と同様に、予め分類して記録さ
れている場所の候補リストの中から１つを選択することによって、目的地を設定する機能
を有する。例えば、予めＣＤ−ＲＯＭ６１０に記録されている、図７に示すような大分類
、小分類、名称、住所、位置座標を対応させたテーブルを使用して、ＣＰＵ１０１が、表
示部６３０に階層的に候補を表示し、ユーザがその中から１つを選択することによって目
的地が決定される。ＣＰＵ１０１は、決定された目的地に関する情報を記録部１０３に記
録し、目的の位置座標に該当する地図上の位置に、目的地を表す所定の図形を表示する。
【００５７】
図８は、情報提供装置６００が設定された目的地からキーワードを決定する処理におい
て、ＣＰＵ１０１が行なう処理のフローチャートである。
【００５８】
以下、図８のフローチャートに基づき目的地からキーワードを決定する処理を説明する
。予め目的地が設定されており、関連する情報が記録部１０３に記録されていると想定す
る。
【００５９】
ステップ８０１、８０２においては、図２のステップ２０１、２０２と同様の処理を行
なう。
ステップ８０３において、記録部１０３から現在設定されている目的地に関する情報を
取得する。例えば、図７の候補の中からＡＢＣスキー場が目的地として設定されている場
合、小分類のテキストデータとして「スキー場」を取得する。
【００６０】
ステップ８０４において、取得したテキストデータが、予め設定されている候補テーブ
ルに含まれているか否かを判断し、含まれていると判断した場合にはステップ８０５に移
行し、含まれていないと判断した場合にはステップ８０６に移行する。
【００６１】
ステップ８０５において、候補テーブルを参照して、該当するキーワードを決定する。
例えば、図３の（ｅ）に示す候補テーブルの場合には、キーワードとして「スキー」を決
定する。決定したキーワードは、ステップ２０６（図２）と同様に、再生中の曲特定情報
と重要度とを対応させて、記録部１０３の検索用テーブルに記録する。
ステップ８０６〜ステップ８０９における処理は、図２のステップ２０７〜２１０にお
ける処理と同様であるのでここではその説明を省略する。
【００６２】
以上の処理によって、目的地に到着するまでに再生された曲に対して、その目的地に対
応するキーワードが記録された検索用テーブルが生成されることとなる。
また、自動車の現在位置に応じてキーワードを決定することも可能である。この場合に
は、地図を予め所定の大きさの複数のブロックに分割し、各々のブロックに付与したブロ
ック番号とキーワードとを対応させた候補テーブルを作成し、記録部１０３に記録してお
く。
【００６３】
ＣＰＵ１０１は、ＧＰＳアンテナ６２０及びＧＰＳ信号受信部６０４を介して取得した
信号から、現在位置（例えば緯度及び経度）を計算し、この現在位置が含まれるブロック
のブロック番号を決定し、候補テーブルを参照して決定されたブロック番号に対応するキ
ーワードを取得し、この取得したキーワードを再生中の曲特定情報及び重要度と対応させ
て検索用テーブルに記録する。これによって、例えば、海岸付近の複数のブロックに「海
」のキーワードを対応させて記録した候補テーブルを使用することによって、自動車の走
行中の位置が海岸付近のブロック内に位置した場合、再生中の曲を特定する曲特定情報、
キーワード「海」及び重要度を対応付けて検索用テーブルに記録することができる。
【００６４】
次に、本発明の第１の実施の形態に係る音声再生装置１００（図１）において、検索用
テーブルを使用して再生する曲を決定する処理に関して説明する。検索用テーブル（例え
ば図４の（ｂ））が記録部１０３に記録されていると想定する。
【００６５】
図９は、キーワードを使用して再生する曲を自動的に決定する処理において、ＣＰＵ１
０１が行なう処理を示すフローチャートである。
【００６６】
ステップ９０１において、上記したように、現在月日、現在時刻、走行速度、気温、湿
度、乗車人数、運転者の覚醒状態の情報を取得した後、各々に対応するキーワードを決定
する。
【００６７】
ステップ９０２において、検索用テーブルの中から、現在月日、現在時刻、走行速度、
気温、湿度、乗車人数の各々に対して決定したキーワードの全てを含み、且つキーワード
「眠気」が含まれていない、曲特定情報（ＭＣＮ及びトラック番号）を取得する。
【００６８】
ステップ９０３において、取得した曲特定情報の個数（ｋ）を判断して、判断の結果に
応じて分岐する。ｋ＝０であればステップ９０５に移行し、ｋ＝１であればステップ９０
７に移行し、ｋ≧２であればステップ９０６に移行する。
【００６９】
ステップ９０４において、キーワードを１つ削減した後、ステップ９０４に移行する。
この削減処理には、各種の処理が可能である。例えば、任意に削減する、候補テーブルの
キーワードに予め削減の順序を指定しておき、これに対応した順序で削除するなどが可能
である。
【００７０】
ステップ９０５において、ステップ９０４の処理によってキーワードが残っているか否
かを判断し、残っていないと判断した場合には終了し、残っていると判断した場合にはス
テップ９０２に戻った後、前回よりも個数が少なくなったキーワードを使用して検索用テ
ーブルを検索する。
【００７１】
ステップ９０６において、複数の曲特定情報の中から、重要度を考慮して１つの曲特定
情報を選択する。この選択処理には、各種の処理が可能である。例えば、最も大きい重要
度を含んでいる曲特定情報を選択する、各々の曲特定情報に対応する重要度を全て加算し
た値を比較して最も大きい値に対応する曲特定情報を選択するなどが可能である。また、
予め各々のキーワードに付した優先順位を考慮して曲特定情報を選択することも可能であ
る。この場合には、検索に使用されたキーワードは、選択された全ての曲特定情報に対応
していることから、選択された曲特定情報に対応するキーワードの中の検索に使用されな
かったキーワードの優先順位を比較することとなる。また、選択された曲特定情報に対応
する文字情報（例えば、曲のＭＣＮ、トラック番号）を表示部（図示せず）にリスト表示
して、ユーザがリストの中から選択することによって、曲特定情報が決定されるようにす
ることも可能である。
【００７２】
ステップ９０７において、決定された曲特定情報に対応するＣＤ１３０に記録されてい
る曲の再生を開始する。
ステップ９０８〜９１１における処理は、図２のステップ２０７〜２１０における処理
と同様である。即ち、操作部が操作され、再生中の曲に対してスキップ、早送りなどの操
作がなされた場合、検索用テーブルの再生中の曲に対応する曲特定情報の重要度を１だけ
減少させる。
【００７３】
以上によって、現在の状況に応じて自動的に決定されるキーワードを使用して、再生す
るべき曲が自動的に決定され、再生されることとなる。
【００７４】
本発明の第２の実施の形態に係る情報提供装置６００（図６）においても、同様にキー
ワードを使用して、再生する曲を自動的に決定することが可能である。
即ち、上記したように、設定されている目的地、現在位置などを使用してキーワードを自
動的に決定し、検索用テーブルを参照してそのキーワードに対応する曲特定情報を取得す
ることによって、再生する曲を決定することができる。
【００７５】
以上において、曲特定情報の一例として｛ＭＣＮ、トラック番号｝の組を使用できるこ
とを説明したが、複数枚のＣＤが１組として販売されることがあり、その場合それら複数
枚のＣＤのＭＣＮが全て同じであることがある。その場合には、｛ＭＣＮ、トラック番号
｝の組では、曲を特定することができないので、更にＴＯＣの中の各々の曲の開始時間、
演奏時間などの情報を曲特定情報に使用する。例えば、｛ＭＣＮ、トラック番号、開始時
間｝、または｛ＭＣＮ、トラック番号、演奏時間｝の組を曲特定情報として使用すること
ができる。
【００７６】
また、図１に示す第１の実施の形態において、ＣＤドライブ１０６にデータの読み込み
速度が音響の再生速度よりも速いドライブを使用し、記録部１０３に大容量のハードディ
スクを使用し、ディジタル処理部１０７に通常の音響再生に必要な容量よりも大きい容量
のバッファを備えて構成し、ＣＤから高速で読み出したデータ（音響データ及びＴＯＣデ
ータ）の中の、音響データを音響再生に適した速度でバッファから読み出して再生しなが
ら、記録部１０３に音響データ及びＴＯＣデータを記録することが可能である。この構成
の音声再生装置において、上記で説明したキーワードを自動的に決定する処理を行なうこ
とも可能である。この場合には、各々の曲の音響データを、重複しないファイル名を付し
たファイルとして記録部１０３に記録し、このファイル名を曲特定情報として使用するこ
とによって、ＴＯＣ情報を曲特定情報として使用することなく、各々の曲と決定されたキ
ーワードとを直接対応させることが可能となる。上記したように１組として販売される複
数枚のＣＤのＭＣＮが全て同じ場合や、ＭＣＮを持たないＣＤも存在することから、ＴＯ
Ｃ情報を組み合わせた曲特定情報では曲を特定することができない場合があるのに対して
、記録部１０３に記録した各々の曲のファイル名を曲特定情報として使用することによっ
て、正確に曲を特定することが可能となる。
【００７７】
また、図１に示す音声再生装置１００を、携帯電話と接続するためのシリアルインタフ
ェースを備えて構成することも可能である。その場合、携帯電話を接続することによって
、インターネットに接続されているサーバーから曲に関する付加情報（タイトル、曲の説
明、歌手、作詞者、作曲者、発売日など）をダウンロードして曲特定情報と対応させて記
録部１０３に記録しておき、上記したように自動決定されたキーワードを使用して付加情
報を検索し、キーワードに合致する曲があった場合、その曲を再生することが可能である
。
【００７８】
また、この場合、サーバーから取得した曲の発売日を使用して、候補テーブル（例えば
、図３の（ａ））から対応するキーワードを取得することが可能である。また、再生する
曲を決定する処理におけるステップ９０７（図９）において、複数の曲特定情報から１つ
の曲特定情報を選択する方法として、各々の曲特定情報に対応するタイトル、歌手などを
リスト表示して、ユーザの選択を受け付けるようにすることも可能となる。
【００７９】
また、携帯電話を介して、インターネットに接続されているサーバーから、希望した曲
データをダウンロードして記録部１０３に記録する場合に、記録した日時を使用して、図
２のステップ２０３〜２０６と同様の処理を行なってキーワードを決定し、ダウンロード
した曲を特定する曲特定情報と対応させて検索用テーブルに記録することも可能である。
【００８０】
以上においては、１枚のＣＤを使用する場合について説明したが、複数枚のＣＤを搭載
することができるオートチェンジャーを有するドライブを使用することも可能である。ま
た、ＣＤ、ＣＤ−ＲＯＭに関してのみ記載したが、本発明はこれらに限定されるものでは
なく、ＤＶＤ、ＭＤ、その他の取り外し可能な記録媒体に適用することも可能である。
【図面の簡単な説明】
【００８１】
【図１】本発明の第１の実施の形態に係る音声再生装置の概略構成を示すブロック図である。
【図２】現在日時を使用してキーワードを決定する処理を示すフローチャートである。
【図３】（ａ）〜（ｅ）はキーワードを決定するための候補テーブルの例を示す表である。
【図４】（ａ）及び（ｂ）は検索用テーブルの例を示す表である。
【図５】走行速度に応じてキーワードを決定する処理を示すフローチャートである。
【図６】本発明の第２の実施の形態に係る情報提供装置の概略構成を示すブロック図である。
【図７】カーナビゲーション用の目的地の候補を示す表である。
【図８】目的地を使用してキーワードを決定する処理を示すフローチャートである。
【図９】キーワードを使用して再生する曲を決定する処理を示すフローチャートである。
【符号の説明】
【００８２】
１００  音声再生装置
１０１  中央演算処理装置（ＣＰＵ）
１０２  メモリ
１０３  記録部
１０４  操作部
１０５  計時手段
１０６  ＣＤドライブ
１０７  ディジタル処理部
１０８  Ｄ／Ａ変換部
１０９  アンプ
１１０  バス
１１１  Ａ／Ｄ変換部
１２０  スピーカー
１３０  ＣＤ
１４０  検出部
６００  情報提供装置
６０１  ＣＤ−ＲＯＭドライブ
６０２  ビデオメモリ（ＶＲＡＭ）
６０３  ビデオ信号生成部
６０４  ＧＰＳ信号受信部
６１０  ＣＤ−ＲＯＭ
６２０  ＧＰＳアンテナ
６３０  表示部
【図１】
2005122890.tif 000003
【図２】
2005122890.tif 000004
【図３】
2005122890.tif 000005
【図４】
2005122890.tif 000006
【図５】
2005122890.tif 000007
【図６】
2005122890.tif 000008
【図７】
2005122890.tif 000009
【図８】
2005122890.tif 000010
【図９】
2005122890.tif 000011